(57)【特許請求の範囲】
【請求項１】
複数の用件ボタンを設けた第１のワイヤレス発信器と、１つの呼び出しボタンを設けた複数の第２のワイヤレス発信器と、ワイヤレス受信器とを備え、前記第１、第２のワイヤレス発信器から電波を発信し、前記ワイヤレス受信器を表示点灯させる、ワイヤレスシステムであって、
前記ワイヤレス受信器は、前記第１のワイヤレス発信器に設けられた、前記複数の用件ボタンに対応させて、複数の用件ランプを設け、
前記第１のワイヤレス発信器で複数の用件ボタンのいずれかが操作されたときには、その操作された用件ボタンに対応する用件ランプを点灯させる一方、
前記第２のワイヤレス発信器のいずれかで呼び出しボタンが操作されたときには、前記複数の用件ランプのうち、その操作された第２のワイヤレス発信器に対応させた用件ランプを、前記第１のワイヤレス発信の用件ボタンが操作されたときとは異なる態様で点灯させるようにした、ワイヤレスコールシステム。
【請求項２】
前記第１のワイヤレス発信器に、固有のＩＤコードを割り付け、前記第１のワイヤレス発信器の複数の用件ボタンの各々には、サブＩＤコードを割り当て、且つ、前記ワイヤレス受信器に、前記ワイヤレス受信器に設けられる複数の用件ランプの各々に対応して、前記第１のワイヤレス発信器に割り付けられた固有のＩＤコードと、前記ワイヤレス発信器の複数の用件ボタンの各々に割り当てられたサブＩＤコードとを登録できるようにした、請求項１に記載のワイヤレスコールシステム。
【請求項３】
前記ワイヤレス受信器は、登録モードを備え、前記ワイヤレス受信器に、前記ワイヤレス第１の発信器のＩＤコードを登録させるときには、前記ワイヤレス受信器を登録モードにし、前記第１のワイヤレス発信器の複数の用件ボタンのいずれかを操作すれば、前記第１のワイヤレス発信器から、前記ワイヤレス発信器に割り当てられたＩＤコードと、前記第１のワイヤレス発信器の複数の用件ボタンの中、操作された用件ボタンのサブＩＤコードが発信され、前記ワイヤレス受信器に、前記第１のワイヤレス発信器のＩＤコードが登録されるとともに、前記ワイヤレス受信器に設けられ、前記第１のワイヤレス発信器側で操作された用件ボタンに対応する用件表示灯が点灯するように、前記第１のワイヤレス発信器の複数の用件ボタンの中、操作された用件ボタンのサブＩＤコードが登録されるようにした、請求項２に記載のワイヤレスコールシステム。
【請求項４】
前記ワイヤレス受信器に、更に、前記複数の用件ボタンに対応させて、複数の異なる固有の鳴動音を出力する報知部を設け、前記第１のワイヤレス発信器に設けた複数の用件ボタンのいずれかが操作されると、前記ワイヤレス受信器に設けられた報知部より、前記第１のワイヤレス発信器側で操作された用件ボタンに対応する固有の鳴動音が鳴るようにした、請求項１〜３のいずれかに記載のワイヤレスコールシステム。
【請求項５】
前記第１、第２のワイヤレス発信器の各々は、
各々の駆動電源として用いる電池が所定の起電力以下になった時に、前記ワイヤレス受信器に、電池切れ間近の信号を発信する電池切れ信号発信手段を備え、
前記ワイヤレス受信器は、
前記第１、第２のワイヤレス発信器の各々に設けられた電池切れ信号発信手段のいずれかが発信した電池切れ間近の信号を受信した時に点灯する電池切れランプとを更に備え、
前記第１、第２のワイヤレス発信器の各々に設けられた電池切れ信号発信手段のいずれかが発信した電池切れ間近の信号を受信したときには、前記第１、第２のワイヤレス発信器に設けられた電池切れランプが点灯するとともに、前記ワイヤレス発信器に設けられた複数の用件ランプの中、電池切れ間近の信号を発信してきたワイヤレス発信器に対応させた用件ランプが点灯するようにした、請求項１に記載のワイヤレスコールシステム。
【請求項６】
前記ワイヤレス受信器が、
前記第１、第２のワイヤレス発信器の各々に設けられた電池切れ信号発信手段のいずれかが発信した電池切れ間近の信号を受信したときたときには、前記ワイヤレス受信器に、前記第１、第２のワイヤレス発信器の各々に対応するように設けられた複数の用件ランプの中、電池切れ間近の信号を発信したワイヤレス発信器に対応する用件ランプが点滅するようにした、請求項５に記載のワイヤレスコールシステム。
【請求項７】
前記ワイヤレス受信器は、
更に、前記ワイヤレス受信器が通電状態の時には、点灯保持される通電ランプを備え、
前記第１、第２の複数のワイヤレス発信器の各々に設けられた電池切れ信号発信手段のいずれかが発信した電池切れ間近の信号を受信したときに、通電ランプが点滅するようにした、請求項５又は請求項６に記載のワイヤレスコールシステム。
【請求項８】
前記ワイヤレス受信器は、
上記用件ランプを含む少なくとも２以上の点滅ランプを備え、前記少なくとも２以上の点滅ランプは、同時点灯しないように、点滅周期をずらすようにした、請求項１に記載のワイヤレスコールシステム。
【請求項９】
前記ワイヤレス受信器は、
少なくとも上記用件ランプを含む２以上の点滅ランプを備え、前記少なくとも２以上の点滅ランプは、点滅頻度の高い点滅ランプと点滅頻度の低い点滅ランプとが組み合わされ、同じ点滅周期の複数のグループにされ、前記少なくとも２以上の点滅ランプは、実質的に、同時点灯しないように、前記複数のグループ毎に、前記複数のグループの各々に含まれる点滅ランプの点滅周期ずらすようにした、請求項１に記載のワイヤレスコールシステム。
【請求項１０】
前記少なくとも２以上の点滅ランプの周期を、人の目の残像現象により、見かけ上、常に点灯しているように見える周波数にした、請求項８又は請求項９に記載のワイヤレスコールシステム。
【請求項１１】
前記２以上の点滅ランプは、
前記第１、第２のワイヤレス発信器のいずれかからの呼出信号を受信したときに点滅する呼出受信ランプを更に含み、
前記ワイヤレス受信器は、
前記呼出受信ランプが、前記用件ランプと、実質的に、同時点灯しないように、前記呼出受信ランプの点滅周期と、前記用件ランプの点滅周期とをずらすようにした、請求項８〜１０に記載のワイヤレスコールシステム。
【請求項１２】
前記第１、第２のワイヤレス発信器の各々は、
各々の駆動電源として用いる電池が所定の起電力以下になった時に、前記ワイヤレス受信器に、電池切れ間近の信号を発信する電池切れ信号発信手段を備え、
前記２以上の点滅ランプは、
前記複数のワイヤレス発信器の各々に設けられた電池切れ信号発信手段のいずれかが発信した電池切れ間近の信号を受信した時に点灯する電池切れランプを更に含み、
上記ワイヤレス受信器は、
前記第１、第２の複数のワイヤレス発信器の各々に設けられた電池切れ信号発信手段のいずれかが発信した電池切れ間近の信号を受信した時には、
前記呼出受信ランプと、前記電池切れランプと、前記複数の用件ランプ中、電池切れ間近の信号を発信したワイヤレス発信器に対応する用件ランプとが点滅するようにされており、且つ、
前記電池切れランプが、前記呼出受信ランプ、及び、前記複数の用件ランプ中、呼出信号を発信したワイヤレス発信器に対応する用件ランプと、実質的に、同時点灯しないように、前記電池切れランプの点滅周期を、前記呼出受信ランプの点滅周期、及び、前記複数の用件ランプ中、呼出信号を発信したワイヤレス発信器に対応する用件ランプの点滅周期とずらした、請求項１１に記載のワイヤレスコールシステム。
【請求項１３】
前記ワイヤレス受信器は、
受信処理可能なキャリア電波を選択設定するチャンネル選択スイッチを更に備え、
前記少なくとも２以上の点滅ランプは、
前記チャンネル選択スイッチにより選択された、受信処理可能なキャリア電波と同じ周波数の電波を受信したときに点滅するキャリア受信ランプを更に含み、
前記ワイヤレス受信器は、
前記チャンネル選択スイッチにより選択された、受信処理可能なキャリア電波と同じ周波数の電波を受信したときに、前記ワイヤレス受信器に設けられた、前記呼出受信ランプと、前記複数の用件ランプ中、受信処理可能なキャリア電波と同じ周波数の呼出信号を発信したワイヤレス発信器に対応する用件ランプと、前記キャリア受信ランプとが点滅するようにされており、且つ、
前記キャリア受信ランプが、前記呼出受信ランプ、及び、前記複数の用件ランプと、実質的に、同時点灯しないように、前記キャリア受信ランプの点滅周期を、前記呼出受信ランプの点滅周期、及び、前記複数の用件ランプ中、受信処理可能なキャリア電波と同じ周波数の呼出信号を発信したワイヤレス発信器に対応する用件ランプの点滅周期とずらすようにした、請求項１１に記載のワイヤレスコールシステム。
【請求項１４】
前記第１、第２のワイヤレス発信器の各々は、
各々の駆動電源として用いる電池が所定の起電力以下になった時に、前記ワイヤレス受信器に、受信処理可能なキャリア電波と同じ周波数の電池切れ間近の信号を発信する電池切れ信号発信手段を備え、
前記少なくとも２以上の点滅ランプは、前記ワイヤレス受信器が、前記複数のワイヤレス発信器の各々に設けられた電池切れ信号発信手段のいずれかが発信した、受信処理可能なキャリア電波と同じ周波数の電池切れ間近の信号を受信した時に点灯する電池切れランプを更に含み、
前記ワイヤレス受信器は、
前記第１、第２のワイヤレス発信器の各々に設けられた電池切れ信号発信手段のいずれかが発信した、受信処理可能なキャリア電波と同じ周波数の電池切れ間近の信号を受信した時には、
前記呼出受信ランプと、前記電池切れランプと、前記複数の用件ランプ中、受信処理可能なキャリア電波と同じ周波数の電池切れ間近の信号を発信したワイヤレス発信器に対応する用件ランプとが点滅するようにされており、且つ、
前記電池切れランプが、前記呼出受信ランプ、前記複数の用件ランプ中、呼出信号を発信したワイヤレス発信器に対応する用件ランプ、及び、前記キャリア受信ランプと、実質的に、同時点灯しないように、前記電池切れランプの点滅周期を、前記呼出受信ランプの点滅周期、前記複数の用件ランプ中、受信処理可能なキャリア電波と同じ周波数の電池切れ間近の信号を発信したワイヤレス発信器に対応する用件ランプの点滅周期、及び、前記キャリア受信ランプの点滅周期とずらすようにした、請求項１３に記載のワイヤレスコールシステム。
【請求項１５】
前記少なくとも２以上の点滅ランプは、前記ワイヤレス受信器に電源が供給されているときに点滅する通電ランプを更に含み、
前記ワイヤレス受信器は、
前記ワイヤレス受信器に電源が供給されているときに、前記通電ランプ以外の他のランプが点滅したときには、前記通電ランプが、前記通電ランプ以外の他のランプと、実質的に、同時に点灯しないように、前記通電ランプの点滅周期、及び、前記通電ランプ以外の他のランプの点滅周期をずらすようにした、請求項１１〜１４のいずれかに記載のワイヤレスコールシステム。
【請求項１６】
前記ワイヤレス受信器は、
前記複数の用件ランプの各々に、複数の異なる呼出音を対応させ、複数の異なる呼出音の中から選択した呼出音を出力する報知部を設け、
前記第１、第２のワイヤレス発信器のいずれかが発信した呼出信号を受信した時には、
前記ワイヤレス受信器に設けられた複数の用件ランプの中、呼出信号を発信したワイヤレス発信器に対応する用件ランプが点灯し、且つ、前記報知部より、呼出信号を発信したワイヤレス発信器に対応する用件ランプに対応して、選択された呼出音が鳴るようにした、請求項１に記載のワイヤレスコールシステム。
【請求項１７】
前記複数の用件ランプの各々に対応して、報知部において選択される呼出音が、相互に重複しないように変更設定可能としている、請求項１６に記載のワイヤレスコールシステム。
【請求項１８】
前記ワイヤレス受信器は、
前記複数の用件ランプの各々に対応させて、呼出音を選択設定するための、複数の選択スイッチを更に設け、
呼出信号を発信したワイヤレス発信器に対応する用件ランプに対応して鳴る、呼出音を変更できるようにした、請求項１６又は請求項１７に記載のワイヤレスコールシステム。
【請求項１９】
前記第２のワイヤレス発信器は、玄関先に設置される呼出チャイム用発信器を含み、
前記ワイヤレス受信器は、前記呼出チャイム用発信器が操作された時に、前記ワイヤレス受信器の報知部より出力される呼出音を、前記呼出チャイム用発信器が操作された時の固有の報知音と、前記複数の用件ランプに対応させて設定された呼出音との切り換え設定を可能とするための、切換え設定スイッチを、更に、設けた、請求項１６〜請求項１８のいずれかに記載のワイヤレスコールシステム。
【請求項２０】
前記第２のワイヤレス発信器は、天井や壁面に設置される人体検知用発信器を含み、
前記ワイヤレス受信器は、
前記人体検知用発信器が人を検出した時に、前記ワイヤレス受信器の報知部より出力される呼出音を、前記人体検知用発信器が人を検出した時の固有の報知音と、前記複数の用件ランプに対応させて設定された呼出音との切り換え設定を可能とするための、切換え設定スイッチを、更に、設けた、請求項１６〜請求項１９のいずれかに記載のワイヤレスコールシステム。
【請求項２１】
前記第１、第２の複数のワイヤレス発信器の各々は、
各々の駆動電源として用いる電池が所定の起電力以下になった時に、前記ワイヤレス受信器に、電池切れ間近の信号を発信する電池切れ信号発信手段を備え、
前記ワイヤレス受信器は、
前記複数のワイヤレス発信器の各々に設けられた電池切れ信号発信手段のいずれかが発信した電池切れ間近の信号を受信した時に点灯する電池切れランプを備え、
前記複数のワイヤレス発信器の各々に設けられた電池切れ信号発信手段のいずれかが発信した電池切れ間近の信号を受信した時には、前記ワイヤレス受信器に設けられた、前記電池切れランプと、前記複数の用件ランプ中、電池切れ間近の信号を発信したワイヤレス発信器に対応する用件ランプとが点滅するようにされている、請求項１６〜請求項２０のいずれかに記載のワイヤレスコールシステム。
【発明の詳細な説明】
【０００１】
【発明の属する技術分野】
本発明は、ワイヤレスコールシステムに関し、特に、一台のワイヤレス発信器で、ワイヤレス受信器に複数の種別の異なる呼出ができるようにしたワイヤレスコールシステム、ワイヤレス発信器の電池切れ時に、ワイヤレス受信器側で、ワイヤレス発信器が電池切れになっていることを容易に知ることができるようにしたワイヤレスコールシステム、ワイヤレス発信器の点滅ランプを少ない消費電流で駆動させるようにしたワイヤレスコールシステム、並びに、ワイヤレス受信器側で、ワイヤレス発信器からの呼出音を変更できるようにしたワイヤレスコールシステムに関する。
【０００２】
【従来の技術】
近時、ワイヤレス発信器から電波を発信して、チャイムや、救急受信器等のワイヤレス受信器を無線方式で作動させるようにした、ワイヤレスコールシステムが、家庭内やオフィスや病院等において、幅広く使用されるようになっている。
【０００３】
図１３は、従来のワイヤレスコールシステムの一例を概略的に示す構成図である。
このワイヤレスコールシステム１０１は、ＩＤコードが各々割り当てられた、複数のワイヤレス発信器１０２ａ、１０２ｂ、１０２ｃ、１０２ｄと、ワイヤレス受信器１０３とを備える。
【０００４】
尚、図１３中、ワイヤレス発信器１０２ａは浴室用ワイヤレス発信器を、ワイヤレス発信器１０２ｂは玄関先に設置される呼出チャイム用発信器を、ワイヤレス発信器１０２ｃは天井や壁面に設置される人体検知用発信器を、また、ワイヤレス発信器１０２ｄは携帯用ワイヤレス発信器を、各々、示している。
これらのワイヤレス発信器１０２ａ、１０２ｂ、１０２ｃのような設置型のワイヤレス発信器では、その駆動用電源が商用電源から供給されているものもあるが、取り替え可能に内蔵された電池（図示せず）により駆動するようにされたものもある。また、携帯用ワイヤレス発信器１０２ｄのように移動型のワイヤレス発信器では、移動に便利なように、取り替え可能に内蔵された電池（図示せず）により駆動するようにされている。
【０００５】
ワイヤレス受信器１０３は、アンテナ１０４、受信器本体１０５の正面の所定の位置に、ワイヤレス受信器１０３側で、ＩＤコードが登録されたワイヤレス発信器（この例では、ワイヤレス発信器１０２ａ、１０２ｂ、１０２ｃ、１０２ｄ）の各々に対応して設けられた、複数の用件ランプ１０６ａ、１０６ｂ、１０６ｃ、１０６ｄと、複数の用件ランプ１０６ａ、１０６ｂ、１０６ｃ、１０６ｄの各々に対応するように設けられた用件表示部１０７ａ、１０７ｂ、１０７ｃ、１０７ｄと、ワイヤレス受信器１０３の電源が供給されているときに点灯する電源ランプ１０８と、ＩＤコードが登録されたワイヤレス発信器１０２ａ、１０２ｂ、１０２ｃ、１０２ｄのいずれかからの呼出信号をアンテナ１０４が受信した時に点灯する受信ランプ１０９とを備える。
【０００６】
用件表示部Ｓａ、Ｓｂ、Ｓｃ、Ｓｄの各々には、ネームカバー（図示せず）が脱着可能に設けられており、用件表示部Ｓａ、Ｓｂ、Ｓｃ、Ｓｄの各々に設けられたネームカバー（図示せず）を取り外せば、用件表示部Ｓａ、Ｓｂ、Ｓｃ、Ｓｄの各々に、用件が記載されたシールを貼ったり、用件を記入したりすることができるようになっている。
【０００７】
従来は、用件表示部Ｓａ、Ｓｂ、Ｓｃ、Ｓｄの各々に、複数のワイヤレス発信器１０２ａ、１０２ｂ、１０２ｃ、１０２ｄの設置場所等（例えば、用件表示部１０７ａには「浴室」、用件表示部１０７ｂには「玄関」、用件表示部１０７ｃには「勝手口」、用件表示部１０７ｄには「携帯」等）が表示されている。
このワイヤレスコールシステム１０１では、例えば、風呂に入っている者が、浴室用ワイヤレス発信器１０２ａに設けられた呼出ボタンＢａを押し操作すると、ワイヤレス受信器１０３に設けられた用件ランプ１０６ａが点灯し、これとともに、固有の呼出音が鳴るので、ワイヤレス受信器１０３側で、浴室（図示せず）内にいる人が、何か用件があるということを知ったり、来客者が、呼出チャイム用発信器１０２ｂに設けられた呼出ボタンＢｂを押し操作すると、用件ランプ１０６ｂが点灯し、これとともに、固有の呼出音が鳴るので、ワイヤレス受信器１０３側で、玄関先に、来客者が訪問してきていることを知ったり、人体検知用発信器１０２ｃの人体検知センサー（図示せず）が、熱を検知すると、用件ランプ１０６ｃが点灯し、これとともに、固有の呼出音が鳴るので、ワイヤレス受信器１０３側で、勝手口（図示せず）に侵入者が侵入していることを知ったり、また、携帯用ワイヤレス発信器１０２ｄを持っている人が、携帯用ワイヤレス発信器１０２ｄに設けられた呼出ボタンＢｄを押し操作すると、用件ランプ１０６ｄが点灯し、これとともに、固有の呼出音が鳴るので、ワイヤレス受信器１０３側で、携帯用ワイヤレス発信器１０２ｄを持っている人が、何か用件があるということを知ったりすることができるようになっている。
【０００８】
【発明が解決しようとする課題】
しかしながら、従来のワイヤレスコールシステム１０１では、ワイヤレス発信器１０２ａ、１０２ｂ、１０２ｃ、１０２ｄは、各々、１用件しか、ワイヤレス受信器１０３に伝えることができるだけで、用件が何かまでは、知らせることができないという問題がある。
【０００９】
本発明の第１の目的は、以上のような問題を解決するためになされたものであって、一台のワイヤレス発信器で、ワイヤレス受信器に、複数の用件を伝えることができるようにしたワイヤレスコールシステムを提供することにある。
また、従来のワイヤレスコールシステム１０１では、ワイヤレス発信器１０２ａ、１０２ｂ、１０２ｃ、１０２ｄが、電池（図示せず）で駆動するようにされている場合、ワイヤレス受信器１０３側では、ワイヤレス発信器１０２ａ、１０２ｂ、１０２ｃ、１０２ｄの各々の電池切れを知ることができず、ワイヤレス発信器１０２ａ、１０２ｂ、１０２ｃ、１０２ｄの各々を動作させてはじめて、電池切れのワイヤレス発信器を知ることができるに過ぎなかった。このため、例えば、入浴中に、入浴している者が、気分が悪くなったような緊急時に、たまたま、浴室用ワイヤレス発信器１０２ａが電池切れを起こしている場合には、そのような緊急事態をワイヤレス受信器１０３側に発信できず、発見が遅れ、手遅れになってしまう、といったような事態になったり、勝手口に泥棒が侵入した場合に、たまたま、人体検知用発信器１０２ｃが電池切れを起こしている場合には、ワイヤレス受信器１０３側で、泥棒が侵入したことを知ることができず、やすやすと、高価な金品等を盗まれてしまうといったような事態になったり、また、携帯用ワイヤレス発信器１０２ｄを持っている人が、緊急事態に陥り、携帯用ワイヤレス発信器１０２ｄの呼出ボタンＢｄを押し操作しても、たまたま、携帯用ワイヤレス発信器１０２ｄが電池切れを起こしている場合には、ワイヤレス受信器１０３側に呼出信号を発信できず、緊急事態をワイヤレス受信器１０３側に伝えることができないといったような事態が生じるという問題がある。
【００１０】
本発明の第２の目的は、以上のような問題を解決するためになされたものであって、複数のワイヤレス発信器とワイヤレス受信器とを組み合わせたワイヤレスコールシステムであって、ワイヤレス受信器側で、電池切れ間近のワイヤレス発信器を容易に識別できるようにしたワイヤレスコールシステムを提供することにある。
【００１１】
また、従来のワイヤレスコールシステム１０１では、ワイヤレス受信器１０３に、ＩＤコードを登録するワイヤレス発信器の数を増やすようにすれば、用件ランプの数を増やす必要がある。これに伴い、用件ランプ等のランプの点灯時の消費電流も大きくなり、且つ、ワイヤレス受信器に内蔵するトランスとしても、点灯するランプの数を見越して、電流容量の大きなものを用いる必要が生じ、この結果、多くのワイヤレス発信器と組み合わされて使用されるワイヤレス受信器は、組み合わされワイヤレス発信器の数に比例して、その消費電流が増加するとともに、大型化してしまうという問題がある。
【００１２】
本発明の第３の目的は、以上のような問題を解決するためになされたものであって、複数のワイヤレス発信器とワイヤレス受信器とを組み合わせたワイヤレスコールシステムであって、ワイヤレス受信器で使用できるワイヤレス発信器の数を多くしても、ワイヤレス受信器の消費電力が増加せず、ワイヤレス受信器に内蔵するトランスとして、点灯するランプの総消費電流以下のものを用いることができるようにしたワイヤレスコールシステムを提供することにある。
【００１３】
また、従来のワイヤレスコールシステム１０１では、ワイヤレス受信器１０３に設けられた用件ランプ１０６ａ、１０６ｂ、１０６ｃ、１０６ｄの各々に対応して設けられた呼出音は、予め、決ってしまっており、ユーザー側で、ワイヤレス受信器１０３を操作して、用件ランプ１０６ａ、１０６ｂ、１０６ｃ、１０６ｄの各々に対応する呼出音を自由に変えることができないといった問題もある。
【００１４】
本発明の第４の目的は、以上のような問題を解決するためになされたものであって、ユーザー側で、ワイヤレス受信器を操作して、ワイヤレス受信器に設けられた、複数の用件ランプの各々に対応する呼出音を自由に変えることができるようにしたワイヤレスコールシステムを提供することにある。
【００１５】
【課題を解決するための手段】
請求項１〜４のいずれかに記載のワイヤレスコールシステムは、一台のワイヤレス発信器で、ワイヤレス受信器に、複数の用件を伝えることができるようにしたワイヤレスコールシステムを提案するものである。即ち、請求項１に記載のワイヤレスコールシステムは、複数の用件ボタンを設けた第１のワイヤレス発信器と、１つの呼び出しボタンを設けた複数の第２のワイヤレス発信器と、ワイヤレス受信器とを備え、前記第１、第２のワイヤレス発信器から電波を発信し、前記ワイヤレス受信器を作動させる、ワイヤレスシステムであって、前記ワイヤレス受信器は、前記第１のワイヤレス発信器に設けられた、前記複数の用件ボタンに対応させて、複数の用件ランプを設け、前記第１のワイヤレス発信器で複数の用件ボタンのいずれかが操作されたときには、その操作された用件ボタンに対応する用件ランプを点灯させる一方、前記第２のワイヤレス発信器のいずれかで呼び出しボタンが操作されたときには、前記複数の用件ランプのうち、その操作された第２のワイヤレス発信器に対応させて用件ランプを、前記第１のワイヤレス発信の用件ボタンが操作されたときとは異なる態様で点灯させるようにした。
【００１６】
請求項２に記載のワイヤレスコールシステムは、前記第１のワイヤレス発信器に、固有のＩＤコードを割り付け、前記第１のワイヤレス発信器の複数の用件ボタンの各々には、サブＩＤコードを割り当て、且つ、前記ワイヤレス受信器に、前記ワイヤレス受信器に設けられる複数の用件ランプの各々に対応して、前記第１のワイヤレス発信器に割り付けられた固有のＩＤコードと、前記ワイヤレス発信器の複数の用件ボタンの各々に割り当てられたサブＩＤコードとを登録できるようにした。
【００１７】
請求項３に記載のワイヤレスコールシステムは、登録モードを備え、前記ワイヤレス受信器に、前記ワイヤレス第１の発信器のＩＤコードを登録させるときには、前記ワイヤレス受信器を登録モードにし、前記第１のワイヤレス発信器の複数の用件ボタンのいずれかを操作すれば、前記第１のワイヤレス発信器から、前記ワイヤレス発信器に割り当てられたＩＤコードと、前記第１のワイヤレス発信器の複数の用件ボタンの中、操作された用件ボタンのサブＩＤコードが発信され、前記ワイヤレス受信器に、前記第１のワイヤレス発信器のＩＤコードが登録されるとともに、前記ワイヤレス受信器に設けられ、前記第１のワイヤレス発信器側で操作された用件ボタンに対応する用件表示灯が点灯するように、前記第１のワイヤレス発信器の複数の用件ボタンの中、操作された用件ボタンのサブＩＤコードが登録されるようにした。
【００１８】
請求項４に記載のワイヤレスコールシステムは、前記ワイヤレス受信器に、更に、前記複数の用件ボタンに対応させて、複数の異なる固有の鳴動音を出力する報知部を設け、前記第１のワイヤレス発信器に設けた複数の用件ボタンのいずれかが操作されると、前記ワイヤレス受信器に設けられた報知部より、前記第１のワイヤレス発信器側で操作された用件ボタンに対応する固有の鳴動音が鳴るようにした。
【００１９】
請求項５〜７のいずれかに記載のワイヤレスコールシステムは、複数のワイヤレス発信器とワイヤレス受信器とを組み合わせたワイヤレスコールシステムであって、ワイヤレス受信器側で、電池切れ間近のワイヤレス発信器を容易に識別できるようにしたワイヤレスコールシステムを提案するものである。
即ち、請求項５に記載のワイヤレスコールシステムでは、前記第１、第２のワイヤレス発信器の各々は、
各々の駆動電源として用いる電池が所定の起電力以下になった時に、前記ワイヤレス受信器に、電池切れ間近の信号を発信する電池切れ信号発信手段を備え、前記ワイヤレス受信器は、前記第１、第２のワイヤレス発信器の各々に設けられた電池切れ信号発信手段のいずれかが発信した電池切れ間近の信号を受信した時に点灯する電池切れランプとを更に備え、前記第１、第２のワイヤレス発信器の各々に設けられた電池切れ信号発信手段のいずれかが発信した電池切れ間近の信号を受信したときには、前記第１、第２のワイヤレス発信器に設けられた電池切れランプが点灯するとともに、前記ワイヤレス発信器に設けられた複数の用件ランプの中、電池切れ間近の信号を発信してきたワイヤレス発信器に対応させた用件ランプが点灯するようにした。
【００２０】
請求項６に記載のワイヤレスコールシステムは、前記ワイヤレス受信器が、前記第１、第２のワイヤレス発信器の各々に設けられた電池切れ信号発信手段のいずれかが発信した電池切れ間近の信号を受信したときたときには、前記ワイヤレス受信器に、前記第１、第２のワイヤレス発信器の各々に対応するように設けられた複数の用件ランプの中、電池切れ間近の信号を発信したワイヤレス発信器に対応する用件ランプが点滅するようにした。
【００２１】
請求項７に記載のワイヤレスコールシステムでは、前記ワイヤレス受信器は、更に、前記ワイヤレス受信器が通電状態の時には、点灯保持される通電ランプを備え、前記第１、第２の複数のワイヤレス発信器の各々に設けられた電池切れ信号発信手段のいずれかが発信した電池切れ間近の信号を受信したときに、通電ランプが点滅するようにした。
【００２２】
請求項８〜１５のいずれかに記載のワイヤレスコールシステムは、複数のワイヤレス発信器とワイヤレス受信器とを組み合わせたワイヤレスコールシステムであって、ワイヤレス受信器で使用できるワイヤレス発信器の数を多くしても、ワイヤレス受信器の消費電力が増加せず、ワイヤレス受信器に内蔵するトランスとして、点灯するランプの総消費電流以下のものを用いることができるようにしたワイヤレスコールシステムを提案するものである。
【００２３】
即ち、請求項８に記載のワイヤレスコールシステムでは、前記ワイヤレス受信器は、上記用件ランプを含む少なくとも２以上の点滅ランプを備え、前記少なくとも２以上の点滅ランプは、同時点灯しないように、点滅周期をずらすようにした。
請求項９に記載のワイヤレスコールシステムは、前記ワイヤレス受信器は、少なくとも上記用件ランプを含む２以上の点滅ランプを備え、前記少なくとも２以上の点滅ランプは、点滅頻度の高い点滅ランプと点滅頻度の低い点滅ランプとが組み合わされ、同じ点滅周期の複数のグループにされ、前記少なくとも２以上の点滅ランプは、実質的に、同時点灯しないように、前記複数のグループ毎に、前記複数のグループの各々に含まれる点滅ランプの点滅周期ずらすようにした。
【００２４】
請求項１０に記載のワイヤレスコールシステムは、前記少なくとも２以上の点滅ランプの周期を、人の目の残像現象により、見かけ上、常に点灯しているように見える周波数にした。
請求項１１に記載のワイヤレスコールシステムは、前記２以上の点滅ランプは、前記第１、第２のワイヤレス発信器のいずれかからの呼出信号を受信したときに点滅する呼出受信ランプを更に含み、前記ワイヤレス受信器は、前記呼出受信ランプが、前記用件ランプと、実質的に、同時点灯しないように、前記呼出受信ランプの点滅周期と、前記用件ランプの点滅周期とをずらすようにした。
【００２５】
請求項１２に記載のワイヤレスコールシステムでは、前記第１、第２のワイヤレス発信器の各々は、各々の駆動電源として用いる電池が所定の起電力以下になった時に、前記ワイヤレス受信器に、電池切れ間近の信号を発信する電池切れ信号発信手段を備え、前記２以上の点滅ランプは、前記複数のワイヤレス発信器の各々に設けられた電池切れ信号発信手段のいずれかが発信した電池切れ間近の信号を受信した時に点灯する電池切れランプを更に含み、上記ワイヤレス受信器は、前記第１、第２の複数のワイヤレス発信器の各々に設けられた電池切れ信号発信手段のいずれかが発信した電池切れ間近の信号を受信した時には、前記呼出受信ランプと、前記電池切れランプと、前記複数の用件ランプ中、電池切れ間近の信号を発信したワイヤレス発信器に対応する用件ランプとが点滅するようにされており、且つ、前記電池切れランプが、前記呼出受信ランプ、及び、前記複数の用件ランプ中、呼出信号を発信したワイヤレス発信器に対応する用件ランプと、実質的に、同時点灯しないように、前記電池切れランプの点滅周期を、前記呼出受信ランプの点滅周期、及び、前記複数の用件ランプ中、呼出信号を発信したワイヤレス発信器に対応する用件ランプの点滅周期とずらした。
【００２６】
請求項１３に記載のワイヤレスコールシステムでは、前記ワイヤレス受信器は、受信処理可能なキャリア電波を選択設定するチャンネル選択スイッチを更に備え、前記少なくとも２以上の点滅ランプは、前記チャンネル選択スイッチにより選択された、受信処理可能なキャリア電波と同じ周波数の電波を受信したときに点滅するキャリア受信ランプを更に含み、前記ワイヤレス受信器は、前記チャンネル選択スイッチにより選択された、受信処理可能なキャリア電波と同じ周波数の電波を受信したときに、前記ワイヤレス受信器に設けられた、前記呼出受信ランプと、前記複数の用件ランプ中、受信処理可能なキャリア電波と同じ周波数の呼出信号を発信したワイヤレス発信器に対応する用件ランプと、前記キャリア受信ランプとが点滅するようにされており、且つ、前記キャリア受信ランプが、前記呼出受信ランプ、及び、前記複数の用件ランプと、実質的に、同時点灯しないように、前記キャリア受信ランプの点滅周期を、前記呼出受信ランプの点滅周期、及び、前記複数の用件ランプ中、受信処理可能なキャリア電波と同じ周波数の呼出信号を発信したワイヤレス発信器に対応する用件ランプの点滅周期とずらすようにした。
【００２７】
請求項１４に記載のワイヤレスコールシステムでは、前記第１、第２のワイヤレス発信器の各々は、各々の駆動電源として用いる電池が所定の起電力以下になった時に、前記ワイヤレス受信器に、受信処理可能なキャリア電波と同じ周波数の電池切れ間近の信号を発信する電池切れ信号発信手段を備え、前記少なくとも２以上の点滅ランプは、前記ワイヤレス受信器が、前記複数のワイヤレス発信器の各々に設けられた電池切れ信号発信手段のいずれかが発信した、受信処理可能なキャリア電波と同じ周波数の電池切れ間近の信号を受信した時に点灯する電池切れランプを更に含み、前記ワイヤレス受信器は、前記第１、第２のワイヤレス発信器の各々に設けられた電池切れ信号発信手段のいずれかが発信した、受信処理可能なキャリア電波と同じ周波数の電池切れ間近の信号を受信した時には、前記呼出受信ランプと、前記電池切れランプと、前記複数の用件ランプ中、受信処理可能なキャリア電波と同じ周波数の電池切れ間近の信号を発信したワイヤレス発信器に対応する用件ランプとが点滅するようにされており、且つ、前記電池切れランプが、前記呼出受信ランプ、前記複数の用件ランプ中、呼出信号を発信したワイヤレス発信器に対応する用件ランプ、及び、前記キャリア受信ランプと、実質的に、同時点灯しないように、前記電池切れランプの点滅周期を、前記呼出受信ランプの点滅周期、前記複数の用件ランプ中、受信処理可能なキャリア電波と同じ周波数の電池切れ間近の信号を発信したワイヤレス発信器に対応する用件ランプの点滅周期、及び、前記キャリア受信ランプの点滅周期とずらすようにした。
【００２８】
請求項１５に記載のワイヤレスコールシステムでは、前記少なくとも２以上の点滅ランプは、前記ワイヤレス受信器に電源が供給されているときに点滅する通電ランプを更に含み、前記ワイヤレス受信器は、
前記ワイヤレス受信器に電源が供給されているときに、前記通電ランプ以外の他のランプが点滅したときには、前記通電ランプが、前記通電ランプ以外の他のランプと、実質的に、同時に点灯しないように、前記通電ランプの点滅周期、及び、前記通電ランプ以外の他のランプの点滅周期をずらすようにした。
【００２９】
請求項１６〜２２のいずれかに記載のワイヤレスコールシステムは、ユーザー側で、ワイヤレス受信器を操作して、ワイヤレス受信器に設けられた、複数の用件ランプの各々に対応する呼出音を自由に変えることができるようにしたワイヤレスコールシステムを提案するものである。請求項１６に記載のワイヤレスコールシステムでは、前記ワイヤレス受信器は、前記複数の用件ランプの各々に、複数の異なる呼出音を対応させ、複数の異なる呼出音の中から選択した呼出音を出力する報知部を設け、前記第１、第２のワイヤレス発信器のいずれかが発信した呼出信号を受信した時には、前記ワイヤレス受信器に設けられた複数の用件ランプの中、呼出信号を発信したワイヤレス発信器に対応する用件ランプが点灯し、且つ、前記報知部より、呼出信号を発信したワイヤレス発信器に対応する用件ランプに対応して、選択された呼出音が鳴るようにした。
【００３０】
請求項１７に記載のワイヤレスコールシステムは、前記複数の用件ランプの各々に対応して、報知部において選択される呼出音が、相互に重複しないように変更設定可能としている。
請求項１８に記載のワイヤレスコールシステムでは、前記ワイヤレス受信器は、前記複数の用件ランプの各々に対応させて、呼出音を選択設定するための、複数の選択スイッチを更に設け、呼出信号を発信したワイヤレス発信器に対応する用件ランプに対応して鳴る、呼出音を変更できるようにした。
【００３１】
請求項１９に記載のワイヤレスコールシステムは、前記第２のワイヤレス発信器は、玄関先に設置される呼出チャイム用発信器を含み、前記ワイヤレス受信器は、前記呼出チャイム用発信器が操作された時に、前記ワイヤレス受信器の報知部より出力される呼出音を、前記呼出チャイム用発信器が操作された時の固有の報知音と、前記複数の用件ランプに対応させて設定された呼出音との切り換え設定を可能とするための、切換え設定スイッチを、更に、設けた。
【００３２】
請求項２０に記載のワイヤレスコールシステムでは、前記第２のワイヤレス発信器は、天井や壁面に設置される人体検知用発信器を含み、前記ワイヤレス受信器は、前記人体検知用発信器が人を検出した時に、前記ワイヤレス受信器の報知部より出力される呼出音を、前記人体検知用発信器が人を検出した時の固有の報知音と、前記複数の用件ランプに対応させて設定された呼出音との切り換え設定を可能とするための、切換え設定スイッチを、更に、設けた。
【００３３】
請求項２１に記載のワイヤレスコールシステムでは、前記第１、第２の複数のワイヤレス発信器の各々は、各々の駆動電源として用いる電池が所定の起電力以下になった時に、前記ワイヤレス受信器に、電池切れ間近の信号を発信する電池切れ信号発信手段を備え、前記ワイヤレス受信器は、前記複数のワイヤレス発信器の各々に設けられた電池切れ信号発信手段のいずれかが発信した電池切れ間近の信号を受信した時に点灯する電池切れランプを備え、前記複数のワイヤレス発信器の各々に設けられた電池切れ信号発信手段のいずれかが発信した電池切れ間近の信号を受信した時には、前記ワイヤレス受信器に設けられた、前記電池切れランプと、前記複数の用件ランプ中、電池切れ間近の信号を発信したワイヤレス発信器に対応する用件ランプとが点滅するようにされている。
【００３４】
【発明の実施の形態】
以下、本発明に係るワイヤレスコールシステムの好ましい例を例にとって、図面を参照しながら、更に、詳しく説明する。
図１は、本発明に係るワイヤレスコールシステムの一例を概略的に示す構成図である。
【００３５】
このワイヤレスコールシステム１は、ＩＤコードが各々割り当てられた、複数のワイヤレス発信器２ａ、２ｂ、２ｃ、２ｅと、ワイヤレス受信器３とを備える。
尚、図１中、ワイヤレス発信器２ａは浴室用ワイヤレス発信器を、ワイヤレス発信器２ｂは玄関先に設置される呼出チャイム用発信器を、ワイヤレス発信器２ｃは天井や壁面に設置される人体検知用発信器を、また、ワイヤレス発信器２ｅは、ダイニングやリビングルーム等のテーブル等に設置される卓上型ワイヤレス発信器を、各々、示している。
【００３６】
尚、この例では、ワイヤレス発信器２ａ、２ｂ、２ｃ、２ｅのような設置型のワイヤレス発信器の各々が、取り替え可能に内蔵された電池（図示せず）により駆動するようにされている。
この例では、例えば、風呂に入っているものが、浴室用ワイヤレス発信器２ａに設けられた呼出ボタンＢａを押し操作すると、浴室用ワイヤレス発信器２ａから、この浴室用ワイヤレス発信器２ａから呼出信号（この例では、浴室用ワイヤレス発信器２ａに割り当てられたＩＤコード信号♯２ａ）が出力され、ワイヤレス受信器３に設けられた複数の用件ランプ６ａ、６ｂ、６ｃ、６ｄの中、浴室用ワイヤレス発信器２ａに対応して設けられた用件ランプ６ａが点灯し、これとともに、固有の呼出音が鳴るので、ワイヤレス受信器３側で、浴室（図示せず）内にいる人が、何か用件があるということを知ったり、来客者が、呼出チャイム用発信器２ｂに設けられた呼出ボタンＢｂを押し操作すると、この呼出チャイム用発信器２ｂから呼出信号（この例では、呼出チャイム用発信器２ｂに割り当てられたＩＤコード信号♯２ｂ）が出力され、ワイヤレス受信器３に設けられた複数の用件ランプ６ａ、６ｂ、６ｃ、６ｄの中、呼出チャイム用発信器２ｂに対応して設けられた用件ランプ６ｂが点灯し、これとともに、固有の呼出音が鳴るので、ワイヤレス受信器３側で、玄関先に、来客者が訪問してきていることを知ったり、人体検知用発信器２ｃの人体検知センサー（図示せず）が、熱を検知すると、この人体検知用発信器２ｃから呼出信号（この例では、人体検知用発信器２ｃに割り当てられたＩＤコード信号♯２ｃ）が出力され、ワイヤレス受信器３に設けられた複数の用件ランプ６ａ、６ｂ、６ｃ、６ｄの中、人体検知用発信器２ｃに対応して設けられた用件ランプ６ｃが点灯し、固有の呼出音が鳴るので、ワイヤレス受信器３側で、例えば、勝手口（図示せず）に侵入者が侵入していることを知ったり、また、卓上型ワイヤレス発信器２ｅに設けられた呼出ボタンＢｅを押し操作すると、この卓上型ワイヤレス発信器２ｅから呼出信号（この例では、卓上型ワイヤレス発信器２ｅに割り当てられたＩＤコード信号♯２ｅ）が出力され、ワイヤレス受信器３に設けられた複数の用件ランプ６ａ、６ｂ、６ｃ、６ｄの中、卓上型ワイヤレス発信器２ｅに対応して設けられた用件ランプ６ｄが点灯し、これとともに、固有の呼出音が鳴るので、ワイヤレス受信器３側で、テーブル等側にいる人が、何か用件があるということを知ったりすることができるようにしてある。
【００３７】
以上の構成は、図１３に示したワイヤレスコールシステム１０１と同様であるが、このワイヤレスコールシステム１は、携帯型ワイヤレス発信器１０２ｄに替えて、新たな携帯型ワイヤレス発信器２ｄを使用している。
図２は、携帯型ワイヤレス発信器２ｄの外観構成の一例を概略的に示す図であり、図２（ａ）は携帯型ワイヤレス発信器２ｄの平面図を、図２（ｂ）は携帯型ワイヤレス発信器２ｄの正面図を、図２（ｃ）は携帯型ワイヤレス発信器２ｄの側面図を、また、図２（ｄ）は携帯型ワイヤレス発信器２ｄの背面に設けたチャンネル設定スイッチを、各々、示している。また、図３は、図２に示す携帯型ワイヤレス発信器２ｄの構成を概略的に示すブロック図である。
【００３８】
この携帯型ワイヤレス発信器２ｄは、図３に示すように、この携帯型ワイヤレス発信器２ｄを制御するために設けられ、ＣＰＵ等で構成された信号処理部２１と、発信ボタンを備える割り込み部２２と、アンテナ２３ａから電波信号を発信する無線送信部２３と、発信制御を行うＰＬＬ制御部２４と、ＥＥＰＲＯＭ等で構成され、予め、この携帯型ワイヤレス発信器２ｄのＩＤコード（♯２ｄ）が書き込まれたＩＤコード書き込み部２５と、発信する信号の周波数を設定するチャンネル設定部２６と、発信音を出力するスピーカや、この携帯型ワイヤレス発信器２ｄの動作を表示する表示ランプ等を備える、報知・表示部２７と、この携帯型ワイヤレス発信器２ｄに電源を供給するために、取り代え可能に収容される電池（例えば、ボタン電池）２８と、この携帯型ワイヤレス発信器２ｄに取り代え可能に収容される電池２８の起電力（この例では、起電圧）を検出し、検出した電池２８の起電力Ｅが、予め、電池切れ間近の値として設定されたしきい値Ｅｔｈに以下（Ｅ≦Ｅｔｈ）になると、電池切れ間近の信号を信号処理部２１へ出力する電池切れ検出部２９とを備える。
【００３９】
この携帯型ワイヤレス発信器２ｄでは、新たに、割り込み部２２を構成する発信ボタンを、複数個（図１に示す、発信ボタン（用件ボタン）２２ａ、２２ｂ、２２ｃ）を設け、複数の発信ボタン２２ａ、２２ｂ、２２ｃの各々を押し操作すると、押し操作された発信ボタン２２ａ、２２ｂ、２２ｃの各々から、この携帯型ワイヤレス発信器２ｄに割り当てられたＩＤコード♯２ｄと、発信ボタン２２ａ、２２ｂ、２２ｃの各々に割り当てられたサブＩＤコード♯２２ａ、♯２２ｂ、♯２２ｃが各々、アンテナ２３ａよりワイヤレス受信器（図１に示す、ワイヤレス受信器３）に発信されるようになっている。
【００４０】
より詳しく説明すると、この携帯型ワイヤレス発信器２ｄでは、発信ボタン２２ａを押し操作すると、この携帯型ワイヤレス発信器２ｄに割り当てられたＩＤコード♯２ｄと、この発信ボタン２２ａに割り当てられたサブＩＤコード♯２２ａとが連結された信号（♯２ｄ＋♯２２ａ）を、アンテナ２３ａよりワイヤレス受信器３へ発信し、発信ボタン２２ｂを押し操作すると、この携帯型ワイヤレス発信器２ｄに割り当てられたＩＤコード♯２ｄと、この発信ボタン２２ｂに割り当てられたサブＩＤコード♯２２ｂとが連結された信号（♯２ｄ＋♯２２ｂ）を、アンテナ２３ａよりワイヤレス受信器３へ発信し、また、発信ボタン２２ｃを押し操作すると、この携帯型ワイヤレス発信器２ｄに割り当てられたＩＤコード♯２ｄと、この発信ボタン２２ｃに割り当てられたサブＩＤコード♯２２ｃとが連結され信号（♯２ｄ＋♯２２ｃ）を、アンテナ２３ａよりワイヤレス受信器３へ発信するようになっている。
【００４１】
また、この携帯型ワイヤレス発信器２ｄでは、電池切れ検出部２９、信号処理部２１及び無線送信部２３により電池切れ信号発信手段が構成されており、電池切れ検出部２９が、電池２８の起電力Ｅが、予め、電池切れ間近の値として設定されたしきい値Ｅｔｈ以下（Ｅ≦Ｅｔｈ）になると、アンテナ２３ａからワイヤレス受信器３へ、ＩＤコード♯２ｄと、電池切れ間近の信号♭２ｄとを連結した信号（♯２ｄ＋♭２ｄ）をアンテナ２３ａよりワイヤレス受信器３へ発信するようになっている。
【００４２】
また、この携帯型ワイヤレス発信器２ｄでは、チャンネル設定部２６を操作することで、ワイヤレス受信器３へ送信する、発信ボタン２２ａが押し操作された時に発信される信号（♯２ｄ＋♯２２ａ）、発信ボタン２２ｂが押し操作された時に発信される信号（♯２ｄ＋♯２２ｂ）、発信ボタン２２ｃが押し操作された時に発信される信号（♯２ｄ＋♯２２ｃ）、及び、電池切れ信号発信手段が出力する、電池２８の電池切れ間近の信号（♯２ｄ＋♯２２ｃ）の各々のキャリア電波の周波数を変更設定できるようにしてある。
【００４３】
より詳しくは、この携帯型ワイヤレス発信器２ｄでは、発信ボタン２２ａ、２２ｂ、２２ｃ、及び、電池切れ信号発信手段の各々に対応して、チャンネル設定スイッチ（この例では、ディップスイッチｓｗ１、ｓｗ２、ｓｗ３、ｓｗ４）が設けられている。そして、この例では、ディップスイッチｓｗ１、ｓｗ２、ｓｗ３、ｓｗ４の各々として、２ビットのものを使用しているので、ディップスイッチｓｗ１、ｓｗ２、ｓｗ３、ｓｗ４の各々を操作することで、ディップスイッチｓｗ１、ｓｗ２、ｓｗ３、ｓｗ４の各々について、（０、０）、（１、０）、（０、１）、（１、１）の４種類のチャンネル設定が可能になっている（図２（ｄ）を参照）。
【００４４】
尚、この例では、ワイヤレス発信器２ａ、２ｂ、２ｃ、２ｄ、２ｅ各々は、各々の電池の起電圧が、２．２５Ｖ〜２．４Ｖ程度まで下がると、電池切れ間近の信号を発信するようにしている。
また、、図２（ｂ）中、Ｓ１、Ｓ２、Ｓ３の各々に示す部材は、ユーザー側で、自由に用件シールを貼り付けたり、用件を記入したりして使用する用件表示部を示している。
【００４５】
具体的に、用件表示部Ｓ１、Ｓ２、Ｓ３の使用方法を例示すると、用件表示部Ｓ１には「お茶」といったような用件を表示したり、用件表示部Ｓ２には「トイレ」といったような用件を表示したり、また、用件表示部Ｓ３には「コール」といったような用件を表示し、この携帯型ワイヤレス発信器２ｄを持っている人が、お茶が飲みたいときには、発信ボタン２２ａを押せば、ワイヤレス受信器３側にいる者に、「お茶が飲みたい。」ということを伝えることができ、トイレに行きたい時には、発信ボタン２２ｂを押せば、ワイヤレス受信器３側にいる者に、「トイレに行きたい。」ということを伝えることができ、また、気分が悪くなった時には、発信ボタン２２ｃを押せば、ワイヤレス受信器３側にいる者に、「気分が悪い。」ということを伝えることができる。
【００４６】
更に、このワイヤレスコールシステム１では、浴室用ワイヤレス発信器２ａ、呼出チャイム用発信器２ｂ、人体検知用発信器２ｃ、及び、卓上型ワイヤレス発信器２ｅの各々に、携帯型ワイヤレス発信器２ｄに設けられた電池切れ信号発信手段と同様の構成の電池切れ信号発信手段を設け、各々に設けられた電池切れ信号発信手段が、各々のワイヤレス発信器２ａ、２ｂ、２ｃ、２ｅを作動させる電池の起電力が、予め設定した起電力以下になると、ワイヤレス受信器３へ、浴室用ワイヤレス発信器２ａからは、ＩＤコード♯２ａと、電池切れ間近の信号♭２ａとを連結した信号（♯２ａ＋♭２ａ）が、呼出チャイム用発信器２ｂからは、ＩＤコード♯２ｂと、電池切れ間近の信号♭２ｂとを連結した信号（♯２ｂ＋♭２ｂ）が、人体検知用発信器２ｃからは、ＩＤコード♯２ｃと、電池切れ間近の信号♭２ｃとを連結した信号（♯２ｃ＋♭２ｃ）が、また、卓上型ワイヤレス発信器２ｅからは、ＩＤコード♯２ｅと、電池切れ間近の信号♭２ｅとを連結した信号（♯２ｅ＋♭２ｅ）が、各々、発信されるようにしてある。
【００４７】
また、この例では、浴室用ワイヤレス発信器２ａ、呼出チャイム用発信器２ｂ、
人体検知用発信器２ｃ、及び、卓上型ワイヤレス発信器２ｅの各々に、携帯型ワイヤレス発信器２ｄに設けられたチャンネル設定部２６と同様の構成のチャンネル設定部を設けている。
【００４８】
即ち、浴室用ワイヤレス発信器２ａには、呼出ボタンＢａ、及び、電池切れ信号発信手段の各々に対応して、チャンネル設定部２６と同様の構成を有するチャンネル設定スイッチ（図示せず）が設けられており、呼出ボタンＢａが押し操作された時に、浴室用ワイヤレス発信器２ａから発信される信号♯２ａについて、４種類のチャンネル設定が可能になっており、また、電池切れ信号発信手段が、このワイヤレス発信器２ａを作動させる電池の起電力が、予め設定した起電力以下になった時に発信するＩＤコード♯２ａと、電池切れ間近の信号♭２ａとを連結した信号（♯２ａ＋♭２ａ）について、４種類のチャンネル設定が可能になっている。
【００４９】
同様に、呼出チャイム用発信器２ｂには、呼出ボタンＢｂ、及び、電池切れ信号発信手段の各々に対応して、チャンネル設定部２６と同様の構成を有するチャンネル設定スイッチ（図示せず）が設けられており、呼出ボタンＢｂが押し操作された時に、呼出チャイム用発信器２ｂから発信される信号♯２ａについて、４種類のチャンネル設定が可能になっており、また、電池切れ信号発信手段が、このワイヤレス発信器２ｂを作動させる電池の起電力が、予め設定した起電力以下になった時に発信するＩＤコード♯２ｂと、電池切れ間近の信号♭２ｂとを連結した信号（♯２ｂ＋♭２ｂ）について、４種類のチャンネル設定が可能になっており、人体検知用発信器２ｃには、人体検知センサー（図示せず）、及び、電池切れ信号発信手段の各々に対応して、チャンネル設定部２６と同様の構成を有するチャンネル設定スイッチ（図示せず）が設けられており、人体検知センサー（図示せず）が熱を検出した時に、人体検知用発信器２ｃから発信される信号♯２ｃについて、４種類のチャンネル設定が可能になっており、また、電池切れ信号発信手段が、このワイヤレス発信器２ｃを作動させる電池の起電力が、予め設定した起電力以下になった時に発信するＩＤコード♯２ｃと、電池切れ間近の信号♭２ｃとを連結した信号（♯２ｃ＋♭２ｃ）について、４種類のチャンネル設定が可能になっており、また、卓上型ワイヤレス発信器２ｅには、呼出ボタンＢｅ、及び、電池切れ信号発信手段の各々に対応して、チャンネル設定部２６と同様の構成を有するチャンネル設定スイッチ（図示せず）が設けられており、呼出ボタンＢｅが押し操作された時に、卓上型ワイヤレス発信器２ｅから発信される信号♯２ｅについて、４種類のチャンネル設定が可能になっており、また、電池切れ信号発信手段が、このワイヤレス発信器２ｅを作動させる電池の起電力が、予め設定した起電力以下になった時に発信する、ＩＤコード♯２ｅと、電池切れ間近の信号♭２ｅとを連結した信号（♯２ｅ＋♭２ｅ）について、４種類のチャンネル設定が可能になっている。
【００５０】
次に、ワイヤレス受信器３の構成について、詳しく説明する。
図４は、図１に示す、ワイヤレス受信器３を拡大して概略的に示す図であり、図４（ａ）は、ワイヤレス受信器３の概略的な正面図であり、また、図４（ｂ）は、ワイヤレス受信器３の概略的な側面図である。
また、図５は、ワイヤレス受信器３の構成を概略的に示すブロック図である。
【００５１】
このワイヤレス受信器３は、図５に示すように、このワイヤレス受信器３を制御するために設けられ、ＣＰＵ等で構成された信号処理部３１と、アンテナ３２ａによって、ワイヤレス発信器（図１に示すワイヤレス発信器２ａ、２ｂ、２ｃ、２ｄ、２ｅ）の各々から発信されてきた信号を受信する受信部３２と、受信部３２で受信した受信信号を復調する復調部３３と、波形整形部３４と、発信制御を行うＰＬＬ制御部３５と、複数の表示ランプ（図１及び図４に示す、用件ランプ６ａ、６ｂ、６ｃ、６ｄ、通電ランプ６ｅ、キャリア受信ランプ６ｆ）を備える報知ランプ出力部３６と、複数のワイヤレス送信器（この例では、ワイヤレス送信器２ａ、２ｂ、２ｃ、２ｄ、２ｅ）のいずれかが発信した信号を受信した時に点灯するようにされた、呼出受信ランプ（図１及び図４に示す、呼出受信ランプ７）を備える受信ランプ出力部３７と、複数のワイヤレス送信器（この例では、ワイヤレス送信器２ａ、２ｂ、２ｃ、２ｄ、２ｅ）のいずれかが発信した、電池切れ間近の信号を受信した時に点灯する電池切れランプ（図１及び図４に示す、電池切れランプ９）を備える電池切れランプ出力部３９と、ＥＥＰＲＯＭ等で構成され、受信対象とする全てのワイヤレス発信器（この例では、ワイヤレス送信器２ａ、２ｂ、２ｃ、２ｄ、２ｅ）のＩＤコードを登録するＩＤコード登録部４０と、受信する信号の周波数を設定するチャンネル設定部（チャンネル選択スイッチ（図示せず）を備える）４１と、受信対象とする全てのワイヤレス発信器（この例では、ワイヤレス送信器２ａ、２ｂ、２ｃ、２ｄ、２ｅ）のＩＤコードを入力する設定入力部４２と、この受信器３に登録された発信器のＩＤコードの全てを消去するために設けられたＩＤ全消去スイッチ４３と、通常の呼出操作と登録モードとを切り替える、通常／登録モード切替スイッチ４４と、このワイヤレス受信器を作動させる電源４５と、用件ランプ６ａ、６ｂ、６ｃ、６ｄの各々に対応させて設けられ、用件ランプ６ａ、６ｂ、６ｃ、６ｄの各々が点灯した時に、各々の用件ランプ６ａ、６ｂ、６ｃ、６ｄの各々に対応して、異なる呼出音を受信器３側で選択設定できるようにするために設けられた呼出音選択スイッチ８ａ、８ｂ、８ｃ、８ｄとを備える。
【００５２】
尚、図４中、４６で示す部材装置は、用件ランプ６ａ、６ｂ、６ｃ、６ｄの各々が点灯した時に、同時に鳴動する、固有の呼出音の音量を調整する報知音量調整スイッチを示しており、この例では、報知音量調整スイッチ４６を調整すれば、呼出音の音量を３段階に調整できるようにしている。
また、４７で示す部材装置は、呼出音の報知回数を設定する報知回数設定スイッチを示しており、この例では、報知回数設定スイッチ４７を操作すれば、呼出音の報知回数を、１回又は３回のいずれかに選択できるようにしている。
【００５３】
また、４８に示す部材装置は、図１１に示す、呼出チャイム用発信器２ｂの呼出ボタンＢｂが押し操作された時に、ワイヤレス受信器３の報知音出力部３８より出力される呼出音を、呼出チャイム用発信器２ｂの呼出ボタンＢｂが押し操作された時の固有の報知音と、用件ランプ６ａ、６ｂ、６ｃ、６ｄに対応させて設定される呼出音のいずれかとの切り換え設定を可能とするための切り換え設定スイッチ４９と、人体検知用発信器２ｃが人（熱）を検知した時に、ワイヤレス受信器３の報知音出力部３８より出力される呼出音を、人体検知用発信器２ｃが人（熱）を検知した時の固有の報知音と、用件ランプ６ａ、６ｂ、６ｃ、６ｄに対応させて設定される呼出音のいずれかとの切り換え設定を可能とするための切り換え設定スイッチ５０とを収容した収容部を示している。
【００５４】
また、図１及び図４中、Ｓａ、Ｓｂ、Ｓｃ、Ｓｄは、用件表示部を示しており、用件表示部Ｓａ、Ｓｂ、Ｓｃ、Ｓｄの各々には、ネームカバー（図示せず）が脱着可能に設けられており、用件表示部Ｓａ、Ｓｂ、Ｓｃ、Ｓｄの各々に設けられたネームカバー（図示せず）を取り外せば、用件表示部Ｓａ、Ｓｂ、Ｓｃ、Ｓｅの各々に、用件が記載されたシールを貼ったり、用件を記入したりすることができるようになっている。
【００５５】
図６は、呼出受信ランプ７の構成を概略的に説明する分解斜視図である。
呼出受信ランプ７は、図１、図４及び図６に示すように、受信器本体５の上部開口部ｈ２に、上下方向に移動可能に設けられた、乳白色の透光性の樹脂で製された透光カバー７１と、中央に孔部ｈ１を形成した回路基板７２と、回路基板７２上に、孔部ｈ１を挟んで、各々の発光部の頂部が対向するように実装された複数の発光ダイオード７３、・・・と、回路基板７２の下方に配置され、複数の発光ダイオード７３、・・・を消灯する消灯スイッチ７４とを備える。
【００５６】
透光カバー７１は、その内面中央に突設するように設けられた操作突部７１ａを有し、透光カバー７１を上方から押圧操作したときに、操作突部７１ａが消灯スイッチ７４を操作する構造となっている。
操作突部７１ａには、スプリング７５が外嵌されており、透光カバー７１が上方から押圧操作されない状態では、スプリング７５により、消灯スイッチ７４が操作されないようになっている。
【００５７】
この例では、消灯スイッチ７４は、ワイヤレス受信器３を作動させる回路基板７６に実装されている。
このワイヤレス受信器３では、複数のワイヤレス発信器２ａ、２ｂ、２ｃ、２ｅのいずれかから発信された信号をワイヤレス受信器３が受信すると、呼出受信ランプ７が所定時間（この例では、３０秒間）点滅するようにされている。
【００５８】
そして、呼出受信ランプ７が点滅している途中において、呼出受信ランプ７の点滅を解除したい時には、透光カバー７１を上方から押圧操作すると、呼出受信ランプ７が消灯するようにしている。
また、このワイヤレス受信器３では、電源４５が供給されると、通電ランプ６ｅが点滅するようにしたいる。
【００５９】
また、ワイヤレス発信器２ａの呼出ボタンＢａが押し操作されると、用件ランプ６ａが点滅し、ワイヤレス発信器２ｂの呼出ボタンＢｂが押し操作されると、用件ランプ６ｂが点滅し、ワイヤレス発信器２ｃの人体検知センサー（図示せず）が、熱を検知すると、用件ランプ６ｃが点滅し、ワイヤレス発信器２ｅの呼出ボタンＢｅが押し操作されると、用件ランプ６ｄが点滅するようにしている。
【００６０】
また、このワイヤレス受信器３では、ワイヤレス発信器２ａ、２ｂ、２ｃ、２ｄ、２ｅのいずれかが発信した電池切れ間近の信号を受信すると、電池切れランプ９が点滅するようにしている。
また、ワイヤレス発信器２ａ、２ｂ、２ｃ、２ｄ、２ｅのいずれかが発信した信号の受信レベルがある一定のしきい値以上あれば、キャリア受信ランプ６ｆが点滅するようにしている。
【００６１】
更に、携帯型ワイヤレス発信器２ｄの発信ボタン２２ａが押し操作されると、用件ランプ６ａが点灯し、発信ボタン２２ｂが押し操作されると、用件ランプ６ｂが点灯し、また、発信ボタン２２ｃが押し操作されると、用件ランプ６ｃが点灯している。
したがって、図７に示すように、例えば、用件表示部Ｓａに「お茶／玄関」、用件表示部Ｓｂに「トイレ／浴室」、用件表示部Ｓｃに「コール／勝手口」、また、用件表示部Ｓｄに「テーブル」といったような、ユーザ側で便利なように考えた用件を表示させておくと、このワイヤレスコールシステム１には、複数の発信ボタン２２ａ、２２ｂ、２２ｃを有する携帯型ワイヤレス発信器２ｄが含まれており、発信ボタン２２ａ、２２ｂ、２２ｃのいずれかが押し操作されると、ワイヤレス受信器３に、発信ボタン２２ａ、２２ｂ、２２ｃに対応して設けられた、用件ランプ６ａ、６ｂ、６ｃの中、押し操作された発信ボタンに対応する用件ランプが点灯するので、ワイヤレス受信器３側にいる人に、用件を伝えることができる。
【００６２】
また、携帯型ワイヤレス発信器２ｄが含まれており、発信ボタン２２ａ、２２ｂ、２２ｃのいずれかを押し操作するとともに、携帯型ワイヤレス発信器２ｄを持っている人がいる場所に設置された、ワイヤレス送信器２ａ、２ｂ、２ｅのいずれかの呼出ボタンＢａ、Ｂｂ、Ｂｅをも押し操作すると、携帯型ワイヤレス発信器２ｄを持っている人が、どこにいて、何の用件があるのかを、ワイヤレス受信器３側にいる人が知ることができるようになる。
【００６３】
例えば、携帯型ワイヤレス発信器２ｄを持った人が、入浴中に、気分が悪くなった場合を例にとって説明すると、この例では、入浴中に、気分が悪くなった人は、携帯型ワイヤレス発信器２ｄの「コール」に対応する発信ボタン２２ｃを押し操作すれば、ワイヤレス受信器３の用件ランプ６ｃが点灯し、固有の呼出音が鳴るので、ワイヤレス受信器３側にいる人に、気分が悪くなった旨を伝えることができ、更に、浴室用ワイヤレス発信器２ａの呼出ボタンＢａを押し操作すると、ワイヤレス受信器３の用件ランプ６ｂが点灯し、固有の呼出音が鳴るので、ワイヤレス受信器３側にいる人に、浴室で気分が悪くなったということを、知らせることができる。
【００６４】
次に、ワイヤレス発信器２ｄを、ワイヤレス受信器３に登録する手順について説明する。
このワイヤレスコールシステム１では、まず、ワイヤレス受信器３の通常／登録モード切替スイッチ４４を操作して、ワイヤレス受信器３の動作を登録モードに切り換える。
【００６５】
ついで、ワイヤレス発信器２ｄの発信ボタン２２ａを押し操作すると、ワイヤレス発信器２ｄより、この携帯型ワイヤレス発信器２ｄに割り当てられたＩＤコード♯２ｄと、この発信ボタン２２ａに割り当てられたサブＩＤコード♯２２ａとが連結された信号（♯２ｄ＋♯２２ａ）が発信され、ワイヤレス受信器３の信号処理部３１の用件ランプ６ａを動作させる領域に、自動的に、この携帯型ワイヤレス発信器２ｄに割り当てられたＩＤコード♯２ｄと、この発信ボタン２２ａに割り当てられたサブＩＤコード♯２２ａとが連結された信号（♯２ｄ＋♯２２ａ）が記憶されるようにし、次に、発信ボタン２２ｂを押し操作すると、ワイヤレス発信器２ｄより、この携帯型ワイヤレス発信器２ｄに割り当てられたＩＤコード♯２ｄと、この発信ボタン２２ｂに割り当てられたサブＩＤコード♯２２ｂとが連結された信号（♯２ｄ＋♯２２ｂ）が発信され、ワイヤレス受信器３の信号処理部３１の用件ランプ６ｂを動作させる領域に、自動的に、この携帯型ワイヤレス発信器２ｄに割り当てられたＩＤコード♯２ｄと、この発信ボタン２２ｂに割り当てられたサブＩＤコード♯２２ｂとが連結された信号（♯２ｄ＋♯２２ｂ）が記憶されるようにし、最後に、発信ボタン２２ｃを押し操作すると、ワイヤレス発信器２ｄより、この携帯型ワイヤレス発信器２ｄに割り当てられたＩＤコード♯２ｄと、この発信ボタン２２ｃに割り当てられたサブＩＤコード♯２２ｃとが連結された信号（♯２ｄ＋♯２２ｃ）が発信され、ワイヤレス受信器３の信号処理部３１の用件ランプ６ｃを動作させる領域に、自動的に、この携帯型ワイヤレス発信器２ｄに割り当てられたＩＤコード♯２ｄと、この発信ボタン２２ｃに割り当てられたサブＩＤコード♯２２ｃとが連結された信号（♯２ｄ＋♯２２ｂ）が記憶されるようにしている。
【００６６】
尚、このワイヤレスコールシステム１では、ワイヤレス発信器２ａ、２ｂ、２ｃ、２ｅを、ワイヤレス受信器３に登録する手順も、ワイヤレス発信器２ｄを、ワイヤレス受信器３に登録する手順と同様にして行われる。
即ち、このワイヤレスコールシステム１では、まず、ワイヤレス受信器３の通常／登録モード切替スイッチ４４を操作して、ワイヤレス受信器３の動作を登録モードに切り換える。
【００６７】
ついで、ワイヤレス発信器２ａの呼出ボタンＢａを押し操作すると、ワイヤレス発信器２ａに割り当てられたＩＤコード♯２ａが発信され、ワイヤレス受信器３の信号処理部３１の用件ランプ６ａを動作させる領域に、自動的に、記憶される。
ついで、ワイヤレス発信器２ｂの呼出ボタンＢｂを押し操作すると、ワイヤレス発信器２ｂに割り当てられたＩＤコード♯２ｂが発信されるが、この場合、信号処理部３１の用件ランプ６ａを動作させる領域は、メモリーが既に使用されているため、次の用件ランプ６ｂを動作させる領域に、自動的に、ＩＤコード♯２ｂが記憶される。
【００６８】
ついで、ワイヤレス発信器２ｃの人体検知センサー（図示せず）を動作させると、ワイヤレス発信器２ｃに割り当てられたＩＤコード♯２ｃが発信されるが、この場合、信号処理部３１の用件ランプ６ａ、６ｂを動作させる領域は、メモリーが既に使用されているため、次の用件ランプ６ｃを動作させる領域に、自動的に、ＩＤコード♯２ｃが記憶される。
【００６９】
ついで、ワイヤレス発信器２ｅの呼出ボタンＢｅを押し操作すると、、ワイヤレス発信器２ｅに割り当てられたＩＤコード♯２ｅが発信されるが、この場合、信号処理部３１の用件ランプ６ａ、６ｂ、６ｃを動作させる領域は、メモリーが既に使用されているため、次の用件ランプ６ｄを動作させる領域に、自動的に、ＩＤコード♯２ｅが記憶される。
【００７０】
このワイヤレスコールシステム１では、このような簡単な操作で、ワイヤレス受信器３に、複数のワイヤレス発信器２ａ、２ｂ、２ｃ、２ｄ、２ｅの登録ができるようにしてある。
また、このワイヤレスコールシステム１では、複数のワイヤレス発信器２ａ、２ｂ、２ｃ、２ｄ、２ｅの各々に、電池切れ信号発信手段を設け、ワイヤレス受信器３が、複数のワイヤレス発信器２ａ、２ｂ、２ｃ、２ｄ、２ｅの各々に設けた電池切れ信号発信手段のいずれかが発信した電池切れ間近の信号を受信すると、複数の用件ランプ６ａ、６ｂ、６ｃ、６ｄの中、電池切れ間近の信号を発信したワイヤレス送信器に対応する用件ランプが点滅するとともに、電池切れランプ９及び呼出受信ランプ７が点滅し、固有の呼出音が鳴るようにしてあるので、電池切れ間近になっているワイヤレス発信器を、その駆動用電池が完全に電池切れ状態になる前に、特定し、電池の取り替えができるようになる。
【００７１】
具体的に説明すると、ワイヤレス発信器２ａが電池切れ間近の信号を発信した場合には、用件ランプ６ａが点滅し、これと同時に、電池切れランプ９及び呼出受信ランプ７が点滅し、固有の呼出音が鳴る。ワイヤレス発信器２ｂが電池切れ間近の信号を発信した場合には、用件ランプ６ｂが点滅し、これと同時に、電池切れランプ９及び呼出受信ランプ７が点滅し、固有の呼出音が鳴る。ワイヤレス発信器２ｃが電池切れ間近の信号を発信した場合には、用件ランプ６ｃが点滅し、これと同時に、電池切れランプ９及び呼出受信ランプ７が点滅し、固有の呼出音が鳴る。ワイヤレス発信器２ｄが電池切れ間近の信号を発信した場合には、用件ランプ６ａ、６ｂ、６ｃが点滅し、これと同時に、電池切れランプ９及び呼出受信ランプ７が点滅し、固有の呼出音が鳴る。また、ワイヤレス発信器２ｅが電池切れ間近の信号を発信した場合には、用件ランプ６ｄが点滅し、これと同時に、電池切れランプ９及び呼出受信ランプ７が点滅し、固有の呼出音が鳴る。
【００７２】
このワイヤレスコールシステム１では、以上のように、電池切れ間近のワイヤレス発信器を電池切れ前に、ワイヤレス受信器３側で、特定できるようにしたので、電池切れ前に、電池切れ間近のワイヤレス発信器の電池を交換できる。
また、このワイヤレスコールシステム１では、用件ランプ６ａ、６ｂ、６ｃ、６ｄ、呼出受信ランプ７、電池切れランプ９、通電ランプ６ｅ、及び、キャリア受信ランプ６ｆのいずれもが点滅する構成を採用している。
【００７３】
尚、ワイヤレス受信器３が、複数のワイヤレス発信器２ａ、２ｂ、２ｃ、２ｄ、２ｅのいずれかが発進した電池切れ間近の信号を受信した場合に、複数のワイヤレス発信器２ａ、２ｂ、２ｃ、２ｄ、２ｅのいずれかが電池切れ間近かになっており、且つ、ワイヤレス発信器２ａ、２ｂ、２ｃ、２ｄ、２ｅの中、どのワイヤレス受信器が、電池切れ間近になっているかを、より容易に特定できるようにするためには、通常の呼び出しの時には、図８中、用件ランプ６ｂに示すように、常時、点灯、又は、点滅してはいるが、見かけ上、常に、点灯して見える態様で、用件ランプを点灯を点灯させる一方、電池切れ間近の信号を受信した場合には、図８中、用件ランプ６ａに示すように、明らかに点滅していると判る周期で、用件ランプを点灯させるようにすればよい。
【００７４】
ここで、人の目には残像現象があり、ランプの点滅周期を工夫すれば（図９（ｂ）を参照）、実際には、ランプは点滅しているにもかかわらず、人の目には残像現象により、見かけ上、常に点灯している場合（図９（ａ）を参照）と同じように見える。
そこで、図９（ｂ）に示すように、このワイヤレスコールシステム１では、上記ランプ６ａ、６ｂ、６ｃ、６ｄ、７、９、６ｅ、６ｆの点滅周期として、人の目に生じる残像現象により、見かけ上、常に点灯しているように見える、１０ｍｓ、１００Ｈｚ、ディーティー比（ＤＵＴＹ比）２５％を基本とするものを使用している。
【００７５】
更に、同時に点滅するランプ同士が、同時に点灯しないように、点滅周期をずらせば、同時に消費される消費電流を少なくすることができる。
このワイヤレスコールシステム１では、図１０に示すように、点灯頻度の高いものと、点灯頻度の低いものとを２個づつ組合せ、４つのグループに分類し、同じグループに分類された２個のランプは、同じ周期で点滅を繰り返し、４つのグループ間では、互いに、１／４ずつ、点滅周期をずらし、４つのグループは、互いに、同時に点灯しないようにしている。
【００７６】
具体的には、図１０に示す例では、ワイヤレス受信器３に電源が供給されている時には、常に、点滅保持され、使用頻度の高い、通電ランプ６ｅと、使用頻度の少ない、電池切れランプ９とを組合せ、一つのグループにし、複数のワイヤレス送信器２ａ、２ｂ、２ｃ、２ｄ、２ｅのいずれかが信号を発信すると点滅するようにされて、使用頻度の高い呼出受信ランプ７と、使用頻度の少ない用件ランプ６ｄとを組合せ、一つのグループにし、良好な受信状態では常に点滅し、使用頻度の高いキャリア受信ランプ６ｆと、使用頻度の少ない用件ランプ６ｃとを組合せ、一つのグループにし、また、使用頻度の高い用件ランプ６ａと、使用頻度の低い用件ランプ６ｂとを組合せ、一つのグループにしている。
【００７７】
これにより、通電ランプ６ｅと電池切れランプ９とが同時に点滅する頻度、呼出受信ランプ７と用件ランプ６ｄとが同時に点滅する頻度、キャリア受信ランプ６ｆと用件ランプ６ｃとが同時に点滅する頻度、及び、用件ランプ６ａと用件ランプ６ｂとが同時に点滅する頻度の各々をきわめて希な頻度にしているので、実質的に、点滅状態の複数のランプが、同じ時に点灯状態になり難くしてある。
【００７８】
これにより、ランプ６ａ、６ｂ、６ｃ、６ｄ、７、９、６ｅ、６ｆの各々が、同時に点灯しているという状態が実質的にくなるので、これらのランプを点灯させるために用いるトランスを、電流容量の小さくなものにすることができる。
このように小さい電流容量のトランスを用いて多数のランプを点灯させる構成としては、上記の場合に限られず、例えば、ワイヤレス受信器３に設けられる、少なくとも２以上の点滅ランプが、複数のワイヤレス発信器２ａ、２ｂ、２ｃ、２ｄ、２ｅのいずれかからの呼出信号を受信したときに点滅する呼出受信ランプ７と、複数のワイヤレス発信器２ａ、２ｂ、２ｃ、２ｄ、２ｅの各々に対応するように設けられた複数の用件ランプ６ａ、６ｂ、６ｃ、６ｄとを備える場合には、複数の用件ランプ６ａ、６ｂ、６ｃ、６ｄが、複数のワイヤレス発信器２ａ、２ｂ、２ｃ、２ｄ、２ｅのの少なくとも一のワイヤレス発信器からの呼出信号を受信したときには、複数の用件ランプ６ａ、６ｂ、６ｃ、６ｄ中、呼出信号を発信したワイヤレス発信器に対応する用件ランプが点滅するようにされており、且つ、呼出受信ランプ７が、呼出信号を発信したワイヤレス発信器に対応する用件ランプと、実質的に、同時点灯しないように、呼出受信ランプ７の点滅周期と、呼出信号を発信したワイヤレス発信器に対応する用件ランプの点滅周期とをずらすようにした構成であってもよい。
【００７９】
また、複数のワイヤレス発信器２ａ、２ｂ、２ｃ、２ｄ、２ｅの各々が、各々の駆動電源として用いる電池が所定の起電力以下になった時に、ワイヤレス受信器３に、電池切れ間近の信号を発信する電池切れ信号発信手段を備え、ワイヤレス受信器３に設けられる、少なくとも２以上の点滅ランプが、更に、ワイヤレス受信器３が、複数のワイヤレス発信器２ａ、２ｂ、２ｃ、２ｄ、２ｅの各々に設けられた電池切れ信号発信手段のいずれかが発信した電池切れ間近の信号を受信した時に点灯する電池切れランプ９を含み、ワイヤレス受信器３が、複数のワイヤレス発信器２ａ、２ｂ、２ｃ、２ｄ、２ｅの各々に設けられた電池切れ信号発信手段のいずれかが発信した電池切れ間近の信号を受信した時には、ワイヤレス受信器３に設けられた、呼出受信ランプ７と、電池切れランプ９と、複数の用件ランプ６ａ、６ｂ、６ｃ、６ｄの中、電池切れ間近の信号を発信したワイヤレス発信器に対応する用件ランプとが点滅するようにされており、且つ、電池切れランプ９が、呼出受信ランプ７、及び、複数の用件ランプ６ａ、６ｂ、６ｃ、６ｄの中、呼出信号を発信したワイヤレス発信器に対応する用件ランプと、実質的に、同時点灯しないように、電池切れランプ９の点滅周期を、呼出受信ランプ７の点滅周期、及び、複数の用件ランプ６ａ、６ｂ、６ｃ、６ｄの中、呼出信号を発信したワイヤレス発信器に対応する用件ランプの点滅周期とずらしてもよい。
【００８０】
また、ワイヤレス受信器３は、更に、受信処理可能なキャリア電波を選択設定するチャンネル設定部（チャンネル選択スイッチを備える）４１を含み、ワイヤレス受信器３に設けられる、少なくとも２以上の点滅ランプが、更に、チャンネル選択スイッチにより選択された、受信処理可能なキャリア電波と同じ周波数の電波を受信したときに点滅するキャリア受信ランプ６ｆを含み、ワイヤレス受信器３が、チャンネル選択スイッチにより選択された、受信処理可能なキャリア電波と同じ周波数の電波を受信したときに、ワイヤレス受信器３に設けられた、呼出受信ランプ７と、複数の用件ランプ６ａ、６ｂ、６ｃ、６ｄの中、受信処理可能なキャリア電波と同じ周波数の呼出信号を発信したワイヤレス発信器に対応する用件ランプと、キャリア受信ランプ６ｆとが点滅するようにされており、且つ、キャリア受信ランプ６ｆが、呼出受信ランプ７、及び、複数の用件ランプ６ａ、６ｂ、６ｃ、６ｄの中、呼出信号を発信したワイヤレス発信器に対応する用件ランプと、実質的に、同時点灯しないように、キャリア受信ランプ６ｆの点滅周期を、呼出受信ランプの点滅周期、及び、複数の用件ランプ６ａ、６ｂ、６ｃ、６ｄの中、受信処理可能なキャリア電波と同じ周波数の呼出信号を発信したワイヤレス発信器に対応する用件ランプの点滅周期とずらすようにしてもよい。
【００８１】
また、複数のワイヤレス発信器２ａ、２ｂ、２ｃ、２ｄ、２ｅの各々は、各々の駆動電源として用いる電池が所定の起電力以下になった時に、ワイヤレス受信器３に、受信処理可能なキャリア電波と同じ周波数の電池切れ間近の信号を発信する電池切れ信号発信手段を備え、ワイヤレス受信器３に設けられる、少なくとも２以上の点滅ランプが、更に、ワイヤレス受信器３が、複数のワイヤレス発信器２ａ、２ｂ、２ｃ、２ｄ、２ｅのの各々に設けられた電池切れ信号発信手段のいずれかが発信した、受信処理可能なキャリア電波と同じ周波数の電池切れ間近の信号を受信した時に点灯する電池切れランプ９を含み、ワイヤレス受信器３が、複数のワイヤレス発信器２ａ、２ｂ、２ｃ、２ｄ、２ｅのの各々に設けられた電池切れ信号発信手段のいずれかが発信した、受信処理可能なキャリア電波と同じ周波数の電池切れ間近の信号を受信した時には、ワイヤレス受信器３に設けられた、呼出受信ランプ７と、電池切れランプ９と、複数の用件ランプ６ａ、６ｂ、６ｃ、６ｄの中、受信処理可能なキャリア電波と同じ周波数の電池切れ間近の信号を発信したワイヤレス発信器に対応する用件ランプとが点滅するようにされており、且つ、電池切れランプ９が、呼出受信ランプ７、複数の用件ランプ６ａ、６ｂ、６ｃ、６ｄの中、呼出信号を発信したワイヤレス発信器に対応する用件ランプ、及び、キャリア受信ランプ６ｆと、実質的に、同時点灯しないように、電池切れランプ９の点滅周期を、呼出受信ランプ７の点滅周期、複数の用件ランプ６ａ、６ｂ、６ｃ、６ｄの中、受信処理可能なキャリア電波と同じ周波数の電池切れ間近の信号を発信したワイヤレス発信器に対応する用件ランプの点滅周期、及び、キャリア受信ランプ６ｆの点滅周期とずらすようにしてもよい。
【００８２】
また、ワイヤレス受信器３に設けられる、少なくとも２以上の点滅ランプが、更に、ワイヤレス受信器に電源が供給されているときに点滅する通電ランプ６ｅを含み、ワイヤレス受信器３に電源が供給されているときに、通電ランプ６ｅ以外の他のランプが点滅したときには、通電ランプ６ｅが、通電ランプ６ｅ以外の他のランプと、実質的に、同時に点灯しないように、通電ランプ６ｅの点滅周期、及び、通電ランプ６ｅ以外の他のランプの点滅周期をずらすようにしてもよい。
【００８３】
また、このワイヤレスコールシステム１では、ワイヤレス受信器３の用件ランプ６ａ、６ｂ、６ｃ、６ｄの各々に対応するように、複数の呼出音が出力できるようにしている。
図７を再び参照して説明すると、呼出音選択スイッチ８ａ、８ｂ、８ｃ、８ｄの各々は、この例では、２ビットのディップスイッチで構成されており、各々、（０、０）、（１、０）、（０、１）、（１、１）の組合せで、図１２に示すように、プルプル音、ブー音、ピピッ音、ポロロン音の４つの呼出音をワイヤレス受信器３側で、ユーザの好みで選択できるようにしている。
【００８４】
更に、このワイヤレスコールシステム１では、呼出チャイム用発信器２ｂの呼出ボタンＢｂが押し操作されると、ワイヤレス受信器３から、固有の呼出音（この例では、ピンポン音）が鳴るようにしてあるが、図１１に示すように、切り換え設定スイッチ４９を操作すると、呼出チャイム用発信器２ｂの呼出ボタンＢｂが押し操作された時に、ワイヤレス受信器３から出力される呼出音を、固有の呼出音（この例では、ピンポン音）に代えて、用件ランプ６ａ、６ｂ、６ｃ、６ｄの各々が点滅した時に、鳴る呼出音に切り換えることができるようにしてある。
【００８５】
即ち、この例では、切り換え設定スイッチ４９を構成する１ビットのディップスイッチ４９ａを、（０）にすれば、固有の呼出音（この例では、ピンポン音）が、ディップスイッチ４９ａを、（１）にすれば、２ビットのディップスイッチ４９ｂが動作するようにされており、ディップスイッチ４９ａを、（１）にし、ディップスイッチ４９ｂを、（０、０）、（１、０）、（０、１）、（１、１）のいずれかにすれば、呼出チャイム用発信器２ｂの呼出ボタンＢｂが押し操作されると、ワイヤレス受信器３から、プルプル音、ブー音、ピピッ音、ポロロン音の４つの呼出音が出力されるようにしている。
【００８６】
更に、このワイヤレスコールシステム１では、人体検知用発信器２ｃが人（熱）を検知した時に、ワイヤレス受信器３から、固有の呼出音（この例では、ジリジリ音）が鳴るようにしてあるが、図１１に示すように、切り換え設定スイッチ５０を操作すると、人体検知用発信器２ｃが人（熱）を検知した時に、ワイヤレス受信器３から出力される呼出音を、固有の呼出音（この例では、ジリジリ音）に代えて、用件ランプ６ａ、６ｂ、６ｃ、６ｄの各々が点滅した時に、鳴る呼出音に切り換えることができるようにしてある。
【００８７】
即ち、この例では、切り換え設定スイッチ４９を構成する１ビットのディップスイッチ４９ａを、（０）にすれば、固有の呼出音（この例では、ジリジリ音）が、ディップスイッチ４９ａを、（１）にすれば、２ビットのディップスイッチ４９ｂが動作するようにされており、ディップスイッチ４９ａを、（１）にし、ディップスイッチ４９ｂを、（０、０）、（１、０）、（０、１）、（１、１）のいずれかにすれば、呼出チャイム用発信器２ｂの呼出ボタンＢｂが押し操作されると、ワイヤレス受信器３から、プルプル音、ブー音、ピピッ音、ポロロン音の４つの呼出音が出力されるようにしている。
【００８８】
また、このワイヤレスコールシステム１では、ワイヤレス受信器３にキャリア受信ランプ６ｆと、チャンネル選択スイッチ（図示せず）を備えるチャンネル設定部４１を設け、複数のワイヤレス発信器２ａ、２ｂ、２ｃ、２ｄ、２ｅの各々に、発信するキャリア電波の周波数を変更するチャンネル設定部２６を設けているので、このワイヤレスコールシステム１を施工する際に、キャリア受信ランプ６ｆの点灯状態を見ながら、複数のワイヤレス発信器２ａ、２ｂ、２ｃ、２ｄ、２ｅの各々から発信するキャリア電波の周波数を変えて、キャリア受信ランプ６ｆが点灯状態を保持するように、ワイヤレスコールシステム１を施工することで、ノイズ等の影響を受け難いワイヤレスコールシステムを設置できる。
【００８９】
【発明の効果】
以上、詳細に説明したように、請求項１〜４のいずれかに記載のワイヤレスコールシステムは、ワイヤレス発信器に複数の用件ボタンを設け、ワイヤレス受信器に、ワイヤレス発信器に複数の用件ボタンに対応させて、複数の用件ランプを設け、ワイヤレス発信器に複数の用件ボタンのいずれかが操作されると、ワイヤレス受信器に設けられた複数の用件ランプの中、ワイヤレス発信器に設けられた複数の用件ボタン中、操作された用件ボタンに対応する用件ランプが点灯するようにしたので、ワイヤレス発信器からワイヤレス受信器に、複数の用件を伝えることができる。
【００９０】
また、請求項５〜７のいずれかに記載のワイヤレスコールシステムでは、複数のワイヤレス発信器の各々に電池切れ信号発信手段を設け、ワイヤレス受信器で、電池切れ信号発信手段のいずれかが発信した電池切れ間近の信号を受信した時に、電池切れ間近の信号を発信したワイヤレス発信器を特定できるようにしたので、ワイヤレス発信器が完全に電池切れとなる前に、電池の交換ができる。
【００９１】
また、請求項８〜１５のいずれかに記載のワイヤレスコールシステムでは、ワイヤレス受信器に設けられる複数のランプが、実質的に、同時に点灯しないようにしたので、複数のランプを点灯させるために用いるトランスとして、電流容量の大きなものを用いる必要がない。これにより、ワイヤレス受信器に多くのランプを設けても、トランスは大型のものを使用しないで済むので、ワイヤレス受信器が大型化しない。
【００９２】
また、請求項１６〜２１のいずれかに記載のワイヤレスコールシステムでは、ワイヤレス受信器側で、用件ランプ等に対応して鳴る呼出音を、ユーザ側で変更設定できる。
【図面の簡単な説明】
【図１】本発明に係るワイヤレスコールシステムの一例を概略的に示す構成図である。
【図２】本発明に係るワイヤレスコールシステムで用いる携帯型ワイヤレス発信器の外観構成の一例を概略的に示す図であり、図２（ａ）は、携帯型ワイヤレス発信器の平面図を、図２（ｂ）は携帯型ワイヤレス発信器の正面図を、図２（ｃ）は携帯型ワイヤレス発信器の側面図を、また、図２（ｄ）は携帯型ワイヤレス発信器の背面に設けたチャンネル設定スイッチを、各々、示している。
【図３】図２に示す携帯型ワイヤレス発信器の構成を概略的に示すブロック図である。
【図４】図１に示す、ワイヤレス受信器を拡大して概略的に示す図であり、図４（ａ）は、ワイヤレス受信器の概略的な正面図であり、また、図４（ｂ）は、ワイヤレス受信器の概略的な側面図である。
【図５】ワイヤレス受信器の構成を概略的に示すブロック図である。
【図６】呼出受信ランプの構成を概略的に説明する分解斜視図である。
【図７】ワイヤレス受信器の用件ランプ及び用件表示部を中心にして概略的に示す平面図である。
【図８】ワイヤレス受信器が、電池切れ間近の信号を受信したことが、容易に判る用件ランプの点灯態様を例示的に説明する説明図である。
【図９】ランプが、常に、点灯している場合（図９（ａ））と、ランプが、実際には、点滅しているにもかかわらず、人の目には、常に点灯しているように見える場合（図９（ｂ））とを対比して説明する説明図である。
【図１０】ワイヤレス受信器に設けられるランプの好ましいグループ分けの例を例示的に説明する説明図である。
【図１１】呼出チャイム用発信器の呼出ボタンが押し操作された時に、ワイヤレス受信器より出力される呼出音を、呼出チャイム用発信器の呼出ボタンが押し操作された時の固有の報知音と、用件ランプに対応させて設定される呼出音のいずれかとの切り換え設定を可能とするための切り換え設定スイッチと、人体検知用発信器が人（熱）を検知した時に、ワイヤレス受信器り出力される呼出音を、人体検知用発信器が人（熱）を検知した時の固有の報知音と、用件ランプ対応させて設定される呼出音のいずれかとの切り換え設定を可能とするための切り換え設定スイッチとを収容した収容部を概略的に示す平面図である。
【図１２】ワイヤレス受信器より出力される呼出音を例示的に説明する説明図である。
【図１３】従来のワイヤレスコールシステムの一例を概略的に示す構成図である。
【符号の説明】
１  ワイヤレスコールシステム
２ａ、２ｂ、２ｃ、２ｄ、２ｅ  ワイヤレス発信器
３  ワイヤレス受信器
２２ａ、２２ｂ、２２ｃ  用件ボタン（発信ボタン）
６ａ、６ｂ、６ｃ、６ｄ  用件ランプ
６ｅ  通電ランプ
６ｆ  キャリア受信ランプ
７  呼出受信ランプ
９  電池切れランプ
【図１】
0003669469.tif 000002
【図２】
0003669469.tif 000003
【図３】
0003669469.tif 000004
【図４】
0003669469.tif 000005
【図５】
0003669469.tif 000006
【図６】
0003669469.tif 000007
【図７】
0003669469.tif 000008
【図８】
0003669469.tif 000009
【図９】
0003669469.tif 000010
【図１０】
0003669469.tif 000011
【図１１】
0003669469.tif 000012
【図１２】
0003669469.tif 000013
【図１３】
0003669469.tif 000014